(57)【要約】【課題】吸着素子が円筒形であると、スペースの割には小型の吸着素子しか搭載できない。【解決手段】第１および第２の吸着素子１、２が、第１位置と、第２位置との間を直線的に往復移動することが可能であり、第２の空気流路中にはヒータ１２を配し、第１の吸着素子１が第１位置にあるときは、第２の吸着素子２が第２位置にあって、第１の吸着素子１が空気から水分を吸着し、第２の吸着素子２が空気に水分を脱着し、第１の吸着素子１が第２位置にあるときは、第２の吸着素子２が第１位置にあって、第１の吸着素子１が空気に水分を脱着し、第２の吸着素子２が空気から水分を吸着することにより、吸着素子は直線移動をするので、移動の軌跡を含めた調湿装置全体の形態が概略直方体を呈するようになり、従来の回転運動するロータ式の吸着素子を使用する概略円筒形状の調湿素子に比較して、大きい吸着素子を搭載可能な調湿装置を実現する。【選択図】図１
2009024963.tif 000002
【特許請求の範囲】
【請求項１】
吸湿性、通気性をもつ第１の吸着素子および第２の吸着素子と、吸着ゾーンを有する第１の空気流路と、脱着ゾーンを有する第２の空気流路と、前記脱着ゾーンの風上にヒータとを備え、前記第１の吸着素子と前記第２の吸着素子とは前記吸着ゾーン又は前記脱着ゾーンに位置するとともに、それぞれ、前記吸着ゾーンと前記脱着ゾーンとの間を直線的に移動可能であり、前記第１の吸着素子が前記吸着ゾーンにあるときは前記第２の吸着素子が前記脱着ゾーンにあって、前記第１の吸着素子が空気から水分を吸着するとともに前記第２の吸着素子が空気に水分を脱着し、前記第１の吸着素子が前記脱着ゾーンにあるときは前記第２の吸着素子が前記吸着ゾーンにあって、前記第１の吸着素子が空気に水分を脱着するとともに前記第２の吸着素子が空気から水分を吸着するように構成したことを特徴とする調湿装置。
【請求項２】
第１の空気流路は、室外空気を吸い込み、吸着ゾーンを介して室外に吹き出すように構成し、第２の空気流路は、室外空気を吸い込み、脱着ゾーンと給気ダクトとを介して室内に吹き出すように構成したことを特徴とする請求項１記載の調湿装置。
【請求項３】
第１の空気流路は、室外空気を吸い込み、吸着ゾーンと給気ダクトとを介して室内に吹き出すように構成し、第２の空気流路は、室外空気を吸い込み、脱着ゾーンを介して室外に吹き出すように構成したことを特徴とする請求項１記載の調湿装置。
【発明の詳細な説明】
【技術分野】
【０００１】
本発明は、空気調和機への収納性に優れた調湿装置に関する。
【背景技術】
【０００２】
従来のこの種の調湿装置では、性能に優れるロータ式の吸着素子を使用することが一般的であった（例えば、特許文献１参照）。
【０００３】
図４は特許文献に記載された従来の調湿装置を示すものである。図４に示すように、ロータ式の吸着素子１０１と、吸着用送風機、脱着用送風機、ヒータ１０２からなる調湿装置が、空気調和機の室外機上部に設けられた調湿機収納スペース１０３に収納されている。
【特許文献１】特許第３６０１４２４号公報
【発明の開示】
【発明が解決しようとする課題】
【０００４】
しかしながら、前記従来の構成では、吸着素子が円筒形をしているため、例えば空気調和機室外機の上部など、略直方体形状の収納スペースには収納しにくく、無駄なスペースが残ってスペースの割には小型の吸着素子しか搭載できないという課題を有していた。
【０００５】
本発明は、前記従来の課題を解決するもので、室外機内部などの略直方体形状の収納スペースに収納しやすく、スペースを有効に利用して収納スペースの割に大きい吸着素子を搭載可能な調湿装置を提供することを目的とする。
【課題を解決するための手段】
【０００６】
前記従来の課題を解決するために、本発明の調湿装置は吸湿性、通気性をもつ第１の吸着素子および第２の吸着素子と、吸着ゾーンを有する第１の空気流路と、脱着ゾーンを有する第２の空気流路と、前記脱着ゾーンの風上にヒータとを備え、前記第１の吸着素子と前記第２の吸着素子とは前記吸着ゾーン又は前記脱着ゾーンに位置するとともに、それぞれ、前記吸着ゾーンと前記脱着ゾーンとの間を直線的に移動可能であり、前記第１の吸着素子が前記吸着ゾーンにあるときは前記第２の吸着素子が前記脱着ゾーンにあって、前記第１の吸着素子が空気から水分を吸着するとともに前記第２の吸着素子が空気に水分を脱着し、前記第１の吸着素子が前記脱着ゾーンにあるときは前記第２の吸着素子が前記吸着ゾーンにあって、前記第１の吸着素子が空気に水分を脱着するとともに前記第２の吸着素子が空気から水分を吸着するように構成したものである。
【０００７】
これによって、吸着素子は直線移動をするため、移動の軌跡を含めた調湿装置全体の形態が概略直方体を呈するようになり、従来の回転運動するロータ式の吸着素子を使用する概略円筒形状の調湿素子に比較して、略直方体形状の収納スペースに収納しやすくなり、スペースを有効に利用して収納スペースの割に大きい吸着素子を搭載可能な調湿装置を実現する。
【発明の効果】
【０００８】
本発明の調湿装置は、移動の軌跡を含めた調湿装置全体の形態を概略直方体とすることができるため、例えば空気調和機室外機の上部など、略直方体形状の収納スペースに収納しやすくなり、スペースを有効に利用して、より大きい吸着素子を搭載して高性能の除湿あるいは加湿運転が可能である。
【発明を実施するための最良の形態】
【０００９】
第１の発明の調湿装置は、吸湿性、通気性をもつ第１の吸着素子および第２の吸着素子と、吸着ゾーンを有する第１の空気流路と、脱着ゾーンを有する第２の空気流路と、前記脱着ゾーンの風上にヒータとを備え、前記第１の吸着素子と前記第２の吸着素子とは前記吸着ゾーン又は前記脱着ゾーンに位置するとともに、それぞれ、前記吸着ゾーンと前記脱着ゾーンとの間を直線的に移動可能であり、前記第１の吸着素子が前記吸着ゾーンにあるときは前記第２の吸着素子が前記脱着ゾーンにあって、前記第１の吸着素子が空気から水分を吸着するとともに前記第２の吸着素子が空気に水分を脱着し、前記第１の吸着素子が前記脱着ゾーンにあるときは前記第２の吸着素子が前記吸着ゾーンにあって、前記第１の吸着素子が空気に水分を脱着するとともに前記第２の吸着素子が空気から水分を吸着するように構成したことにより、吸着素子は直線移動をするため、移動の軌跡を含めた調湿装置全体の形態が概略直方体形状とすることができ、スペースを有効に利用して収納スペースの割に大きい吸着素子を搭載して高性能の除湿あるいは加湿運転が可能である。
【００１０】
第２の発明は、特に、第１の発明の調湿装置の、第１の空気流路は、室外空気を吸い込み、吸着ゾーンを介して室外に吹き出すように構成し、第２の空気流路は、室外空気を吸い込み、脱着ゾーンと給気ダクトとを介して室内に吹き出すように構成したもので、第２の空気流路の脱着ゾーンで吸着素子から水分を脱着して室外空気を加湿して室内に給気するため、室内の湿度が上昇する加湿効果を奏する。
【００１１】
第３の発明は、特に、第１の発明の調湿装置の、第１の空気流路は、室外空気を吸い込み、吸着ゾーンと給気ダクトとを介して室内に吹き出すように構成し、第２の空気流路は、室外空気を吸い込み、脱着ゾーンを介して室外に吹き出すように構成したもので、第１の空気流路の吸着ゾーンで室外空気を除湿して室内に給気するため、室内の湿度が低下する除湿効果を奏する。
【００１２】
以下、本発明の実施の形態について、空気調和機の室外機上部の収納スペースに配設する場合を一例として図面を参照しながら説明する。なお、この実施の形態によって本発明が限定されるものではない。
【００１３】
（実施の形態１）
図１は本発明の実施の形態１における調湿装置の斜視図、図２はその動作を説明する断面図である。
【００１４】
図１において、各々直方体形状の第１の吸着素子１と第２の吸着素子２は、図中下方から上方に向かって通風可能なハニカム状の構造をしている。吸着素子１、２は、お互い平行になるようにハウジング５（２点鎖線で図示）に収納される。
【００１５】
ハウジング５内部には、第１の吸着素子１と第２の吸着素子２とが図中手前側と奥方向に直線的に往復移動することが可能なように構成されている。ここでは煩雑になるため、図示は省略するが、２つの吸着素子１，２の移動をガイドするためのレールをハウジング５の内面に設ける一方、吸着素子１、２それぞれの側壁にラックを付与し、これに対応する歯車を有する吸着素子駆動モータを設けることにより、２つの吸着素子１、２を図中手前側と奥方向に直線的に往復移動することを可能とする。
【００１６】
ハウジング５は大きく２つのゾーン、吸着ゾーン６と脱着ゾーン７とから成り、吸着ゾーン６には最下部に室外空気吸気口８、最上部に除湿空気排気口９が開口して第１の空気流路３を形成し、脱着ゾーン７には最下部に室外空気吸気口１０、最上部に加湿空気排気口１１が開口して第２の空気流路４を形成している。特に、室外空気吸気口１０と第２の吸着素子２との途中、すなわち、第２の吸着素子２の風上には吸い込んだ室外空気を加熱
するヒータ１２が設けられている。ここでは、吸着ゾーン６と脱着ゾーン７とを流れる空気は同じ方向に並行して流れるように構成して、第１の吸着素子１と第２の吸着素子がお互い平行で反対方向に直線移動すれば良いように構成している。なお、吸着ゾーン６と脱着ゾーン７とを流れる空気は反対方向に流れるように構成しても良い。
【００１７】
第１の空気流路３には、さらに第１送風機１３が備えられ、第１送風機１３の吸入口１５は除湿空気排気口９に、吹出し口１６は室外外気につながっている。また、第２の空気流路４には、さらに第２送風機１４が備えられ、第２送風機１４の吸入口１７は加湿空気排気口１１に、吹出し口１８は給気ダクト１９につながっている。第２の空気流路４はさらに、給気ダクト１９、壁貫通穴２０につながり、室内に至る。
【００１８】
これらで構成される調湿装置２１は、空気調和機室外機本体２２上部に破線で示す略直方体空間である調湿機収納スペース２３に収納される。
【００１９】
次に図２も参照しながら、本実施の形態１における調湿装置の動作について説明する。図２は、図１中でハウジング５の断面を右側から見た断面図であり、左半分が吸着ゾーン６であり、右半分が脱着ゾーン７である。脱着ゾーン７の室外空気吸気口１０は、図２では手前側になるため２点鎖線で図示する。
【００２０】
図２（ａ）では、第１の吸着素子１は吸着ゾーン６内に位置し、第２の吸着素子２は脱着ゾーン７内に位置している。このとき、室外空気吸気口８から入った室外空気Ａは、第１の吸着素子１を通過する際に水分が吸着されて除湿される。除湿された空気は第１の空気流路３に沿って、除湿空気排気口９、第１送風機１３を通過して室外に排気される。
【００２１】
一方、室外空気吸気口１０から入った室外空気Ｂは、ヒータ８で加熱されて高温となり、第２の吸着素子２を通過する際に水分を脱着して加湿される。加湿された空気は第２の空気流路４に沿って、加湿空気排気口１１、第２送風機１４、給気ダクト１９、壁貫通穴２０を通って室内に至る。
【００２２】
次に、図示はしないが吸着素子駆動用モータが駆動して、歯車によってラックと一体になった２つの吸着素子１、２が、レールに沿って図中左右方向で互いに反対方向に直線移動し、図２（ｂ）の状態になる。図２（ｂ）では、第１の吸着素子１は脱着ゾーン７内に移動しており、第２の吸着素子２は吸着ゾーン６内に移動している。
【００２３】
室外空気吸気口８から入った室外空気は、第２の吸着素子２を通過する際に水分が吸着されて除湿される。除湿された空気は第１の空気流路３に沿って、除湿空気排気口９、第１送風機１３を通過して室外に排気される。一方、室外空気吸気口１０から入った室外空気は、ヒータ８で加熱されて高温となり、第１の吸着素子１を通過する際に水分を脱着して加湿される。加湿された空気は第２の空気流路４に沿って、加湿空気排気口１１、第２送風機１４、給気ダクト１９、壁貫通穴２０を通って室内に至る。
【００２４】
次に、吸着素子駆動用モータが前回と逆転して駆動すると、歯車によってラックと一体になった２つの吸着素子１、２が、レールに沿って図中左右方向で互いに反対方向に直線移動し、図２（ａ）の状態になる。
【００２５】
これにより、最初の状態に戻ったわけで、以下同様に、例えば３０秒から５分程度の一定時間ごとに、吸着素子駆動用モータを駆動して、２つ吸着素子１，２を互いに反対方向に往復移動させることで、加湿されて水分の多くなった空気が常時第２送風機１４を通過して、給気ダクト１９を介して壁を貫通して室内に排気され、室内湿度を上昇させる。
【００２６】
以上のように、本発明の実施の形態１によれば、吸着素子は直線移動をするため、移動の軌跡を含めた調湿装置全体の形態が概略直方体を呈するようになり、従来の回転運動するロータ式の吸着素子を使用する概略円筒形状の調湿素子に比較して、略直方体形状の収納スペースに収納しやすくなり、スペースを有効に利用して、より大きい吸着素子を搭載可能な調湿装置を実現する。
【００２７】
（実施の形態２）
図３は本発明の実施の形態２における調湿装置の斜視図、図４はその動作を説明する断面図である。図３において、各々直方体形状の第１の吸着素子１と第２の吸着素子２は、図中下方から上方に向かって通風可能なハニカム状の構造をしている。２つの吸着素子１、２は、お互い平行になるようにハウジング５（２点鎖線で図示）に収納される。
【００２８】
ハウジング５内部には、第１の吸着素子１と第２の吸着素子２とが図中手前側と奥方向に直線的に往復移動が可能なように構成されている。ここでは煩雑になるため、図示は省略するが、２つの吸着素子１，２の移動をガイドするためのレールをハウジング５の内面に設ける一方、吸着素子１、２それぞれの側壁にラックを付与し、これに対応する歯車を有する吸着素子駆動モータを設けることにより、吸着素子１、２を図中手前側と奥方向に直線的に往復移動することを可能とする。
【００２９】
ハウジング５は大きく２つのゾーン、吸着ゾーン６と脱着ゾーン７から成り、吸着ゾーン６には最下部に室外空気吸気口８、最上部に除湿空気排気口９が開口して第１の空気流路３を形成し、脱着ゾーン７には最下部に室外空気吸気口１０、最上部に加湿空気排気口１１が開口して第２の空気流路４を形成している。特に、室外空気吸気口１０と第２の吸着素子２との途中には吸い込んだ室外空気を加熱するヒータ１２が設けられている。
【００３０】
第１の空気流路３には、さらに第１送風機１３が備えられ、第１送風機１３の吸入口１５は加湿空気排気口１１に、吹出し口１６は室外外気につながっている。また、第２の空気流路４には、さらに第２送風機１４が備えられ、第２送風機１４の吸入口１７は除湿空気排気口９に、吹出し口１８は給気ダクト１９につながっている。第２の空気流路４はさらに、給気ダクト１９、壁貫通穴２０につながり、室内に至る。
【００３１】
これらで構成される調湿装置２１は、空気調和機室外機本体２２上部に破線で示す略直方体空間である調湿機収納スペース２３に収納される。
【００３２】
次に図４も参照しながら、本実施の形態２における調湿装置の動作について説明する。図４は、図３中でハウジング５の断面を右側から見た断面図であり、左半分が吸着ゾーン６であり、右半分が脱着ゾーン７である。吸着ゾーン６の除湿空気排気口９および脱着ゾーン７の室外空気吸気口１０は、図４では手前側になるため２点鎖線で図示する。
【００３３】
図４（ａ）では、第１の吸着素子１は吸着ゾーン６内に位置し、第２の吸着素子２は脱着ゾーン７内に位置している。このとき、室外空気吸気口８から入った室外空気Ａは、第１の吸着素子１を通過する際に水分が吸着されて除湿される。除湿された空気は第１の空気流路３に沿って、除湿空気排気口９、第２送風機１４、給気ダクト１９、壁貫通穴２０を通って室内に至る。
【００３４】
一方、室外空気吸気口１０から入った室外空気Ｂは、ヒータ８で加熱されて高温となり、第２の吸着素子２を通過する際に水分を脱着して加湿される。加湿された空気は第２の空気流路４に沿って、加湿空気排気口１１、第１送風機１３を通って室外外気に放出される。
【００３５】
次に、図示はしないが吸着素子駆動用モータが駆動して、歯車によってラックと一体になった２つの吸着素子１、２が、レールに沿って図中左右方向で互いに反対方向に直線移動し、図４（ｂ）の状態になる。図４（ｂ）では、第１の吸着素子１は脱着ゾーン７内に移動しており、第２の吸着素子２は吸着ゾーン６内に移動している。
【００３６】
室外空気吸気口８から入った室外空気は、第２の吸着素子２を通過する際に水分が吸着されて除湿される。除湿された空気は第１の空気流路３に沿って、除湿空気排気口９、第２送風機１４、給気ダクト１９、壁貫通穴２０を通って室内に至る。一方、室外空気吸気口１０から入った室外空気は、ヒータ８で加熱されて高温となり、第１の吸着素子１を通過する際に水分を脱着して加湿される。加湿された空気は第２の空気流路４に沿って、加湿空気排気口１１、第１送風機１３を通って室外外気に放出される。
【００３７】
次に、吸着素子駆動用モータが前回と逆転して駆動すると、歯車によってラックと一体になった２つの吸着素子１、２が、レールに沿って図中左右方向で互いに反対方向に直線移動し、図４（ａ）の状態になる。
【００３８】
これにより、最初の状態に戻ったわけで、以下同様に、例えば３０秒から５分程度の一定時間ごとに、吸着素子駆動用モータを駆動して、２つの吸着素子１，２を互いに反対方向に往復移動させることで、除湿されて水分の少なくなった空気が、常時第２送風機１４を通過して、給気ダクト１９を介して壁を貫通して室内に排気され、室内湿度を低下させる。
【００３９】
以上のように、本発明の実施の形態２によれば、吸着素子は直線移動をするため、移動の軌跡を含めた調湿装置全体の形態が概略直方体を呈するようになり、従来の回転運動するロータ式の吸着素子を使用する概略円筒形状の調湿素子に比較して、略直方体形状の収納スペースに収納しやすくなり、スペースを有効に利用して、より大きい吸着素子を搭載可能な調湿装置を実現する。
【００４０】
なお、上記２つの実施の形態においては、調湿装置を室内の加湿装置又は除湿装置として別々に説明したが、第１の空気流路と第２の空気流路に接続される加湿空気排気口又は除湿空気排気口とを切り替えて接続するように構成すれば、室内の加湿又は除湿を一台の調湿装置で行うことも可能である。
【産業上の利用可能性】
【００４１】
以上のように、本発明にかかる調湿装置は、吸着素子は直線的に往復移動をするため、移動の軌跡を含めた調湿装置全体の形態が概略直方体形状で、除湿あるいは加湿運転ができるため、空気調和機の室外機に例示されるように、各種機器への収納性が優れており、広く空気の湿度調節機能を求められる機器に搭載する調湿装置全般に適用される。
【図面の簡単な説明】
【００４２】
【図１】本発明の実施の形態１における調湿装置の斜視図
【図２】本発明の実施の形態１における調湿装置の動作を説明する断面図
【図３】本発明の実施の形態２における調湿装置の斜視図
【図４】本発明の実施の形態２における調湿装置の動作を説明する断面図
【図５】従来の調湿装置の分解斜視図
【符号の説明】
【００４３】
１  第１の吸着素子
２  第２の吸着素子
３  第１の空気流路
４  第２の空気流路
５  ハウジング
６  吸着ゾーン
７  脱着ゾーン
８  室外空気吸気口
９  除湿空気排気口
１０  室外空気吸気口
１１  加湿空気排気口
１２  ヒータ
１３  第１送風機
１４  第２送風機
１５  第１送風機吸入口
１６  第１送風機吹出し口
１７  第２送風機吸入口
１８  第２送風機吹出し口
１９  給気ダクト
２０  壁貫通穴
２１  調湿装置
２２  空気調和機室外機
２３  調湿機収納スペース
【図１】
2009024963.tif 000003
【図２】
2009024963.tif 000004
【図３】
2009024963.tif 000005
【図４】
2009024963.tif 000006
【図５】
2009024963.tif 000007